(57)【要約】【課題】  現時点では公共の場において、つり革や手すり等、人の手への雑菌・細菌の付着の防止する物品は無い様に思われる。本考案は人の手への雑菌・細菌の付着防止と、付着に伴う不潔感を無くし、つり革や手すり等を安全に持つことができる手のひらタオルを提供することを目的とする。【解決手段】  本考案の手のひらタオルは天然繊維タオル布からなる楕円形の第１布部２と第２布部３からなり、前記第２布部３の中央部に楕円の短径方向に２つの穴を設け、その穴に伸縮自在な紐状部材６を２重に通して指にさす２本のリングの固定部５ａ、５ｂを設け、前記第１布部２及び前記第２布部３の外周部を一体に形成してなるものである。【選択図】図１
0003202342.tif 000002
【実用新案登録請求の範囲】
【請求項１】
天然繊維タオル布からなる楕円形の第１布部２と第２布部３からなり、前記第２布部３の中央部に楕円の短径方向に２つの穴を設け、その穴に伸縮自在な紐状部材６を２重に通して指にさす２本のリングの固定部５ａ、５ｂを設け、前記第１布部２及び前記第２布部３の外周部を一体に形成してなることを特徴とする手のひらタオル。
【請求項２】
前記伸縮自在な紐状部材６に細ゴム紐を用い、前記２本のリング部を構成する細ゴム紐は前記固定部５ａ、５ｂ以外では離れたそれぞれ１本のリング部となることを特徴とする請求項１記載の手のひらタオル。
【請求項３】
前記第１布部２及び第２布部３の外周部を縁取り加工することを特徴とする請求項１記載又は請求項２記載の手のひらタオル。
【考案の詳細な説明】
【技術分野】
【０００１】
本考案は天然繊維タオル布を使用し、公共の場において雑菌を防止する為に衛生面にも有効である手のひらタオルに関するものである。
【背景技術】
【０００２】
従来公共の場において、つり革や手すり等、人の手への雑菌・細菌の付着防止対策等がなされていないのが現状である。
【０００３】
雑菌・細菌の付着を除去するために手洗いを促している。しかし、つり革・手すりに触れた直後の手洗いや除菌を行うことには困難である。
【０００４】
手袋での人の手への雑菌・細菌の付着防止は可能であるが、手袋の使用には季節的な問題がある。
【０００５】
ハンカチ・ハンドタオルを用いて防止する手立てもあるが、ハンカチ・ハンドタオルは用途、目的の違いがあり、ハンカチ・ハンドタオルを使用しての人の触れる物には敢えて使用しない常態である。
【先行技術文献】
【特許文献】
【０００６】
【特許文献１】特開２００５−２７９１８９
【考案の概要】
【考案が解決しようとする課題】
【０００７】
上述したように、現時点では公共の場において、つり革や手すり等、人の手への雑菌・細菌の付着の防止する物品は無い様に思われる。
【０００８】
本考案は人の手への雑菌・細菌の付着防止と、付着に伴う不潔感を無くし、つり革や手すり等を安全に持つことができる手のひらタオルを提供することを目的とする。
【課題を解決するための手段】
【０００９】
上記の目的に達成するために、請求項１記載の考案は、天然繊維タオル布からなる楕円形の第１布部２と第２布部３からなり、前記第２布部３の中央部に楕円の短径方向に２つの穴を設け、その穴に伸縮自在な紐状部材６を２重に通して指にさす２本のリングの固定部５ａ、５ｂを設け、前記第１布部２及び前記第２布部３の外周部を一体に形成してなる手のひらタオルである。
【００１０】
請求項２記載の考案は、伸縮自在な紐状部材６に細ゴム紐を用い、前記２本のリング部を構成する細ゴム紐は固定部５ａ、５ｂ以外では離れたそれぞれ１本のリング部となる手のひらタオルである。
【００１１】
請求項３記載の考案は、前記第１布部２及び第２布部３の外周部を縁取り加工する手のひらタオルである。
【００１２】
それらの第１布部２、第２布部３は、細い天然繊維タオル布を主体としているので肌に装着していても違和感なく汗も吸う。特に、細い天然繊維（３０番手から４０番手）であることが好ましい。天然繊維は木綿が好ましい。これらを用いる事により、肌に装着感が良く、上記の様に手のひらの発汗作用にも良い。
【００１３】
前記に上述した様に、楕円形の第１布部２と第２布部３からなり、前記第２布部３の中央部に楕円の短径方向に２つの穴を設け、その穴に伸縮自在な紐状部材を２重に通して指にさす為のリング状を固定部に設ける事により、手のひらから落下しない工夫をしたものである。いわゆる、カスタネット型であるので、装着しながら外出行動に可能である。
【００１４】
楕円形である形状の理由として手のひらの形は、ほぼ楕円形に似ているからである。もし形状を長方形にした場合、四方の角が邪魔になり使用感が悪い。
【００１５】
本考案の手のひらタオルは、手のひらに着用し、雑菌を防止する為に使用するので不快感はなく、簡素で長時間着用にも負担にならない。そのため、手のひらの形状に相う、楕円形にした物である。
【００１６】
請求項１に示した二枚布である理由は、第１布部２は雑菌防止面布で、第２布部３は手のひら側にあって指にさす為のゴム紐輪奈を取り付け、手のひらからの落下をなくす為の大切な役割の落下防止第２布部３であり、伸縮自在な紐状部材を２重に通してリング状の指の固定部を設ける事により、指に良くフィットする。又、中指に指輪をさしていても２本ゴム紐の間にはさみ込んでおくことでアクセサリーの邪魔はしない。
【００１７】
落下防止に使用するゴム紐輪奈は二重巻で構成する。その理由として着用時の幅広い手すりにもゴム紐のちょっとした操作で、うまく使用可能であり、又安定感が出来る。図４の（４）に示すように、指の関節を利用する事でゴム紐輪奈の納まりが良い。
【００１８】
中央に輪奈の取り付けた理由として、手のひらにおいて五本指のバランスでもある中指に輪奈をさす状態がベストとするが、時により手のひらタオルを親指側で使用したい場合には、ゴム輪奈を人さし指にさして使用も可能で、手のひらタオルの使用形態の融通性が有り、使用者の知恵も生む。それらの事においても、請求項２記載ゴム紐輪奈は本考案の利点である。二重巻の輪奈は第２布部３に１部固定しているが、輪奈その物は各１本１本の形態である事を特長とする。
【００１９】
第１布部２は雑菌防止、第２布部３は装着時の落下の防止と使用目的の異なる布の２枚を縁取りで一体化する事で、共に縁取りの糸目で布端が強化され丈夫な形態になる。
【考案の効果】
【００２０】
以上説明した様に、請求項１記載の考案によって簡単に使用出来て、雑菌の防止を考え、外出時に交通機関等を利用する場合において躊躇する事なく、つり革・手すりに触れることができ、安全で安心を得ることができる。
【００２１】
寸法を変えてＳＭＬと作る事もでき、小さなレースで縁取りすると可愛いオシャレな物として使用、かつ雑菌防止ができる。
【００２２】
請求項１に記載している様に、この考案は手軽に使いこなす事ができ、経済的にも有利で一度使ってみたら、手のひらタオルを装着していないと不潔感で、つり革・手すり等を触れられなくなる程の安心感が生まれる。口にはマスク・手には手のひらタオルと必需品になる様に考えます。
【００２３】
請求項１に記載している様に、第１布部２と第２布部３の利用方法は異なっているが、その２枚の布によって考案の目的が達成され、伸縮自在な紐状部材が細ゴム紐からなることを特徴とする。請求項１又は請求項２記載の手のひらタオルが手のひらから落下しない為の目的とする指にさす輪奈の取り付けがある事で考案の手のひらタオルが達成される。
【００２４】
手のひらサイズの考案なので、着用しながら５本の指は自由自在に活用できる。
【００２５】
考案の形状は、左右自由に使用可能である。又、両手に手のひらタオルを着用することも可能である。それにより、スーパー等のカートの手押しにも使用することができる。買い物カゴを持つ手、商品を選ぶ自由な指先・金銭の出入・急なペン書き等、すべてを行うことができる。
【００２６】
両手に装着する利点として、本考案の材質がタオル布である特長を利用し、暑い季節等の手のひらの汗にも対応でき、また寒い時期には自転車のつめたいハンドルを握る際に、着用する事により簡易にハンドルを握る事ができる。また冬場手のひらに装着した状態で、指側半分を手のひら側に折り、手袋をはめる事も可能である。装着方法により、様々な利便性も生まれる。
【００２７】
タオル布を用いる為、洗濯も可能である。
【００２８】
手のひらサイズの考案であるので、不使用時は小さくポケットにも入る。
【００２９】
図４の（３）に示すように、第１布部２を逆に手の甲側に装着すると夏の外出時の日焼け防止の効果がある。いわゆる。昔の手絆と同じように使うことができる。
【図面の簡単な説明】
【００３０】
【図１】本考案の手のひらタオルを示す図である。（１）は本考案の手のひらタオルの第１布部２（底面）を示す図である。（２）は本考案の手のひらタオルの第２布部３（上面）を示す図である。
【図２】本考案の手のひらタオルの断面図である。
【図３】本考案の手のひらタオルの斜視図である。
【図４】本考案の手のひらタオルの使用状況を示す図である。lang=EN-US>(１)は、本考案を手のひらに装着して手のひら側からの図である。lang=EN-US>(２)は、同じく装着して手の甲側からの図である。lang=EN-US>(３)は、図２の逆に手の甲側に装着する事により、日焼け防止となる図である。（４）は同じく装着して手の甲側からの図であり、ゴム紐をずらして使用している状態を示す図である。
【考案を実施するための形態】
【００３１】
本考案の最良の形態を図１により説明する。
【００３２】
図１の（１）は本考案の手のひらタオルの第１布部２（底面）を示す図であり、図１の（２）は本考案の手のひらタオルの第２布部３（上面）を示す図である。
【００３３】
第１布部２は、物に触れる面で雑菌の防止する平面布で楕円形をしており、請求項３記載の第２布部３と縫い合わせる縁取りミシン目４の表示。第１布部２、第２布部３の同型寸法の範囲は、短径lang=EN-US>70ｍｍ〜90ｍｍ、長径100ｍｍ〜lang=EN-US>120ｍｍとする。請求項２記載それらタオル布の第２布部３には直径1.5ｍｍゴム紐で輪奈を作り、指にさす為の物を取り付ける。ゴム紐として、直径lang=EN-US>1.5ｍｍの飾り用のゴム紐を使用することが好ましい。飾り用のゴム紐を用いることのより装飾効果がでる。
【００３４】
図２は本考案の手のひらタオルの断面図である。穴５ａ、５ｂはゴム紐を通すミシン穴であり、６はゴム紐である。ゴム紐の輪奈の形を説明する。二つ穴ボタンを縫いつける状態と同じく、くるくると穴を通してゴム紐が回って輪奈を作る。ボタン付けは糸をしめて縫いつける。そして、手のひらタオルの輪奈は指をさす為のものであり、図２に示すように２本のゴム紐６の輪奈はそれぞれ同じ寸法の円の輪奈である。そのそれぞれの輪奈の底部を第２布部３に縫いつけることにより、輪奈がしっかりして指を固定しやすくなる。
第２布部３は楕円形の短径の中央にゴム紐を通す穴５ａ、５ｂはでミシンホールである。その穴は直径3ｍｍとなり２本の細丸ゴム紐を通す。輪奈の底部の      第２布部３の縫いつけ部はゴム紐６を３本にすることが好ましい。縫い付け部はゴム紐の端を、それぞれゴム紐を通す穴５ａ、５ｂで固定することにより、輪奈がよりしっかりして指をより固定しやすくなる。以下に詳細を説明する。第２布部３は楕円形の短径の中央にゴム紐を通す穴５ａ、５ｂはでミシンホールである。その穴は直径3ｍｍとなり２本の細丸ゴム紐を通す。
上記に述べた５ａ、５ｂの穴にゴム紐を通すには、ゴム紐の先端を第２布部３の裏の穴５ａを通して５ｂの穴にくぐらせ再度５ａの穴〜５ｂの穴に通してゴム紐がくるくると回り輪奈を作る様にして回り戻ったゴム紐の先端を５ａの穴部、留まっていたゴム紐端を５ｂの穴部、通過ゴム紐の３本を縫い付ける。前記ゴム紐は第２布部３の固定部５ａから５ｂまで縫い付ける。
５ａの穴と５ｂの穴の間隔は１０ｍｍとし、リングの大きさによって１０〜１５ｍｍの間隔でも良く、本体寸法ＳＭＬで全ての寸法は変えられる。輪奈の直径２０ｍｍで作製する。請求項３に記載しているゴム紐を取り付けた第２布部３と第１布部２を縁取りミシンで縫い合わせ作成する。
【００３５】
図３は本考案の手のひらタオルの斜視図である。第２布部３を斜めから視て輪奈ゴム紐の形状が分かる。５ａ、５ｂはゴム紐を通す穴でミシンホールを表示している。６はゴム紐を表示し、ゴム紐は２巻である。７は第２布部３の裏面にゴム紐が縫い付けてあるとするミシン目である。
【符号の説明】
【００３６】
１    手のひらタオル
２    第１布部
３    第２布部
４    縁取り
５ａ  ゴム紐を通す穴
５ｂ  ゴム紐を通す穴
６    ゴム紐
７    ゴム紐の縫い付け部
【図１】
0003202342.tif 000003
【図２】
0003202342.tif 000004
【図３】
0003202342.tif 000005
【図４】
0003202342.tif 000006